(57)【要約】      （修正有）【課題】内容物の長さに応じて即座に長さを変更でき、簡素で経済的な可変容積型コンテナを提供する。【解決手段】上方が開放された箱体の長手方向の一方の端板を欠いた外箱１０内に、外箱１０と同形状の内箱２０を、長手方向にスライド可能に設ける。そして、内箱２０の側板２１と底板２３とに長手方向に長孔２１ａ、２３ａを設けるとともに外箱１０の長手方向内側寄りの側板１１と底板１３に鋲孔を設け、連結鋲３５で長孔２１ａ，２３ａを嵌挿させて外箱１０に内箱２０を連結する。さらに、外箱１０の底板１３の長手方向内側端に面ファスナを貼着した係止片を、内箱２０の底板裏面に固設した係着面へ当接させて係止する。【選択図】図２
0003199697.tif 000002
【実用新案登録請求の範囲】
【請求項１】
上方が開放された箱体の長手方向の一方の端板を欠いた外箱内に、該外箱と同形状の内箱を、長手方向にスライド可能に嵌合し、容積を変更できるようにした可変容積型コンテナにおいて、該外箱と該内箱の連結は、該内箱の側板および底板に長手方向に長孔を設けるとともに該外箱の長手方向内側寄りの側板および底板に鋲孔を設け、連結鋲で該鋲孔から該長孔を嵌挿させて固設し、該内箱の外箱への係止は、該外箱または内箱のいずれかに面ファスナを貼着した手動で脱着できる係止片を設けるとともに該内箱または外箱に該係止片と係着する面ファスナの係着面を固設したことを特徴とする可変容積型コンテナ。
【請求項２】
前記外箱に内箱を連結する手段は、前記連結鋲に変えて、軸部を突設した連結凸材と該軸部が嵌着する嵌着部が付設された連結凹材とからなる連結具とし、該嵌着部は前記鋲孔および長孔に嵌挿し、該長孔と摺接する上面と下面は平坦面としたことを特徴とする請求項１記載の可変容積型コンテナ。
【請求項３】
前記内箱を外箱に係止する手段は、前記外箱の底板の長手方向内側端に前記係止片を下方へ折り曲げ可能に設けるとともに前記内箱の底板裏面の所定の位置または長手方向に連続して前記係止片と係着する係着面を固設したことを特徴とする請求項１または請求項２に記載の可変容積型コンテナ。
【請求項４】
前記内箱を外箱に係止する手段は、前記内箱の底裏面の長手方向内側端に前記係止材を上方へ折り曲げ可能に設けるとともに前記外箱の底板の所定の位置または長手方向に連続して前記係止材と係着する係着面を固設したことを特徴とする請求項１または請求項２に記載の可変容積型コンテナ。
【考案の詳細な説明】
【技術分野】
【０００１】
本考案は収納容積を変更できるコンテナに関するものである。
【背景技術】
【０００２】
例えば棒状や管状の材料や部品の搬送に使われるコンテナ（通い箱）は、搬送する物の長さが種々ある場合は、それぞれ該当する長さのものを用意している。このため、通い箱の必要量が増え、これの保管スペースも多く必要とする。
そこで、内容物の長さに応じて複数段階に長さを変更できる可変容積型コンテナ（例えば、特許文献１参照）が開発されている。
【０００３】
特許文献１の可変容積型コンテナは、長手方向の一方の端板を欠いた端部箱体を左右に離して置き、中間部に長手方向の両方の端板を欠いた中間部箱体を長手方向にスライド可能に嵌合させて配置している。そして、重なり合う端部箱体と中間部箱体の側板に長手方向に複数個穿設された穴に着脱可能な連結具で連結するようにしている。
【先行技術文献】
【特許文献】
【０００４】
【特許文献１】特開平１０-１４７３３６
【考案の開示】
【考案が解決しようとする課題】
【０００５】
特許文献１の可変容積型コンテナは、左右対称の端部箱体と中間部箱体が強固に固設されているので、かなり、長尺のものも収納でき、重量の大きなものも安定して部品搬送ができる。しかし、容積を変える場合は、段階的にしかできず、また、脱着する連結具も多いので、変更に時間を要するという難点がある。また、部品点数が多く、高価なものとなっている。
【０００６】
本考案は上記の問題点を解決するもので、搬送物の長さに応じて即座に長さを変更でき、しかも簡素で経済的な可変容積型コンテナを提供することを目的としている。
【課題を解決するための手段】
【０００７】
上記の目的を達成するため、本考案の可変容積型コンテナは、次のように構成した。すなわち、上方が開放された箱体の長手方向の一方の端板を欠いた外箱内に、該外箱と同形状の内箱を、長手方向にスライド可能に嵌合し、容積を変更できるようにした可変容積型コンテナにおいて、該外箱と該内箱の連結は、該内箱の側板および底板に長手方向に長孔を設けるとともに該外箱の長手方向内側寄りの側板および底板に鋲孔を設け、連結鋲で該鋲孔から該長孔を嵌挿させて固設し、該内箱の外箱への係止は、該外箱または内箱のいずれかに面ファスナを貼着した手動で脱着できる係止片を設けるとともに該内箱または外箱に該係止片と係着する面ファスナの係着面を固設したことを特徴としている。
【０００８】
この可変容積型コンテナは、大きさや使用する材料は任意であり、収納物の大きさや重量などによって適宜決めればよい。
内箱の外形幅寸法は、外箱より板厚分小さく作り、外箱にスライド可能に内挿できるようにする。外箱との連結は、内箱の側板と底板に長手方向に長孔を設け、外箱の長手方向内側寄りの側板と底板に鋲孔を設け、連結鋲で該鋲孔から該長孔を嵌挿させて固設する。長孔は複数個設けても良い。搬送物の重量が大きい場合には、請求項２に記載のように、上記の丸軸の連結鋲に変えて、軸部を突設した連結凸材と該軸部が嵌着する嵌着部が付設された連結凹材とからなる連結具とし、該嵌着部は前記鋲孔および長孔に嵌挿し、該長孔と摺接する上面と下面は平坦面とするとよい。なお、軸部の形状は角柱状など特に問わない。  嵌着部の上面と下面は該長孔に摺接するので、平坦部とする。
このように構成されるので、上記の丸軸の連結鋲に比べ、内箱と外箱とを連結する為の部分が直線の面になり、コンテナの剛性が高くなる。
【０００９】
内箱がスライドしないように外箱へ固定する構成は、脱着可能に取付けた面ファスナによる。具体的には、請求項３に記載のように、外箱の底板の長手方向内側端に面ファスナを貼着した係止片を下方へ折り曲げ可能に設け、内箱の底板裏面の所定の位置または長手方向に連続して該係止片と係着する係着面（面ファスナ）を固設する。または、請求項４に記載のように、内箱の底裏面の長手方向内側端に面ファスナを貼着した係止材を上方へ折り曲げ可能に設け、外箱の底板の所定の位置または長手方向に連続して係止材と係着する係着面を固設してもよい。
【考案の効果】
【００１０】
本考案の可変容積型コンテナは、上記のように一方の端板を欠いた外箱と同形状の内箱を、長手方向にスライド可能に嵌合し、該内箱の側板および底板に長手方向に長孔を設けるとともに該外箱の長手方向内側寄りの側板および底板に鋲孔を設け、連結鋲で該鋲孔から該長孔を嵌挿させて固設し、該外箱または内箱のいずれかに手動で脱着できる面ファスナを貼着した係止片を設け、該内箱または外箱に該係止片と係着する面ファスナの係着面を固設したので、収納物の長さに応じてコンテナの長手方向の長さを即座に簡便に変えることができる。また、構造が簡素で部品の数も少なく安価に製造できる。
【図面の簡単な説明】
【００１１】
【図１】本考案の可変容積型コンテナの実施の形態を示す全体斜視図で、最小容積時の状態を示す。
【図２】同、可変容積型コンテナを長手方向へ伸長させたときの状態を示す斜視図である。
【図３】同、外箱と内箱の組立前の状態を示す斜視図である。
【図４】同、請求項２の考案の実施の形態を示す斜視図で、（ａ）,（ｂ）はＡ部の拡大詳細図である。
【図５】同、請求項３の考案の実施の形態を示す裏面から見た斜視図である。
【図６】同、請求項４の考案の実施の形態を示す全体斜視図である。
【考案を実施するための最良の形態】
【００１２】
本考案の可変容積型コンテナの実施の形態を、図１〜図６に基づいて説明する。図１は可変容積型コンテナ１００の全体斜視図で、容積が最小のとき（長手方向の寸法が最小）の状態を示している。また、図２は内箱２０をスライドさせて容積を大きくしたときの状態を示している。
この可変容積型コンテナ１００は、図３に示すように、上方が開放された箱体の長手方向の一方の端板を欠いた外箱１０および該外箱１０と同形状の内箱２０と、図示してない、内箱を外箱に連結する手段および係止する手段とから構成される。
【００１３】
外箱１０は、プラスチック段ボール板を折曲げて側板１１，端板１２、底板１３を形成し、上向きに開口するとともに長手方向の一方の端板がない状態のものである。側板１１と端板１２の上端縁には補強用の断面逆Ｕ字状のガイド部材１５、１６が嵌め込まれ、隅部は隅連結材１４で連結されている。１１ａ、１３ｂは鋲孔で、１７は把手である。
【００１４】
内箱２０は、外箱１０に嵌入できるように幅方向の寸法が外箱１０より若干小さく作られており、外箱１０と同じくプラスチック段ボール板を折曲げて側板２１，端板２２、底板２３を形成し、上向きに開口するとともに長手方向の一方の端板がない状態としている。そして、端板２２の上端縁には補強用の断面逆Ｕ字状のガイド部材２５が嵌め込まれ、隅部は隅連結材２４で連結されている。そして、側板２１と底板２３には長手方向に長孔２１ａ、２３ａがそれぞれ形成されている。２６は把手である。なお、ガイド部材１５、１６、２５および隅連結材１４、２４、把手１７、２６はプラスチック製である。
【００１５】
可変容積型コンテナ１００の組み立ては、外箱１０の端板のない側へ内箱２０の端板のない側を挿通し、外箱１０の側板１１に設けた鋲孔１１ａに、連結鋲３５を長孔２１ａを嵌挿させて固着連結している。なお、３６はワッシャーである。同様に、外箱１０の底板１３に設けた鋲孔１３ｂに連結鋲３５を内箱２０の長孔２３ａを嵌挿させて固着連結する。これで、外箱１０と内箱２０は連結される。ただし、この状態では内箱２０は手動で長手方向にスライドさせることができる。
【００１６】
次に内箱２０を外箱１０に連結する別の手段（請求項２）について、図４に基づいて説明する。
上記の連結手段との相違点は、連結鋲３５を連結具３０に置き換えたものである。
連結具３０は、角柱状の軸部３１ａを突設した連結凸材３１と、該軸部３１ａが嵌着する嵌着部３２ａが固着された連結凹材３２とからなる。そして、軸部３１ａの表面には抜け止めのための凸条３１ｂが形成され、これに対向して嵌着部３２ａには溝３２ｂが形成されている。
外箱１０の連結孔は図示してないが、嵌着部３２ａが嵌入する大きさであり、内箱２０の長孔２１ａは、該嵌着部３２ａの上面および下面の平坦部３２ｃが摺接可能な大きさに形成されている。
【００１７】
連結具３０の取り付けは、連結凹材３２を外箱の連結孔（上記の例の１１ａに相当）に嵌着し、内箱２０の内側から連結凸材３１を押し込んで嵌着するが、この場合平坦部３２ｃが上面および下面に位置するように取付ける。連結凸材３１の軸部３１ａの凸条３１ｂが嵌着部３２ａの溝３２ｂに嵌り込むので、連結凸材３１と連結凹材３２はしっかリと連結される。
図４（ａ）は、取り付け後の状態を示し、（ｂ）は取り付け前の状態を示している。
上記の場合（丸軸）に比べ、内箱と外箱とを連結する為の部分が直線の面になり、コンテナの剛性が高くなる。
【００１８】
次に、内箱２０が移動しないように外箱１０へ係止する手段について説明する。
図５は、可変容積型コンテナ１００を底裏面側から見た斜視図で、外箱１０の底板１３の内側端１３ａの中央部に外側へ折れ曲がる係止片４１が設けられ、底面側に面ファスナ４１ａが貼着されている。そして、内箱２０の裏面長手方向の該係止片４１と対向する位置に面ファスナの係着面４２と、係着面４３が貼着されている。
【００１９】
係止片４１の面ファスナ４１ａが係着面４３と係着したときは、内箱２０が外箱１０の奥まで挿通されて図１に示す容積の小さい状態であり、係着面４２と係着したときは、内箱２０が大きくを外方へ引き出された図２に示す状態のときである。
なお、この実施の形態では、内箱２０が外箱１０に係止するのは、係着面４２または４３の２点としたが、複数個係着面を短い間隔で貼着したり、連続したものを貼着することによって、任意の位置に係止させることができる。
なお、図５において、２３ｂは、台座であり、内箱２０が引き出された状態で、床に置いたり段積みしたとき、水平状態にするためのものである。
【００２０】
次に、内箱２０を外箱１０に係止する別の実施の形態（請求項４）について図６に基づいて説明する。この実施の形態では、上記のように底裏面ではなく、底表面に設けている。すなわち、内箱２０の内側端２３ｃ中央部に上方へ折り曲げ可能な係止片４５を設け、その裏面に面ファスナを貼着する（図示してない）。そして、外箱１０の底面の対向する位置に面ファスナからなる連続した係着面４６を設ける。
この実施の形態では、任意の地点で内箱２０を外箱１０へ係止させることができる。したがって、長手方向の長さを搬送物の長さにピッタリ合ったものにできる。
【００２１】
なお、上記実施の形態では、考案を理解しやすくするため、通い箱として使用する場合で説明したが、これに限るものではなく、収納箱など使用用途はとくに限定するものではない。また、材質をプラスチックに特定して説明したが、これに限るものではなく、段ボールやプラスチック板などでもよい。
【符号の説明】
【００２２】
１００  可変容積型コンテナ
１０  外箱
１１  側板
１１ａ  鋲孔
１２    端板
１３  底板
１３ａ  内側端
１３ｂ  鋲孔
１４  隅連結材
１５  ガイド部材
１６  ガイド部材
１７  把手
２０  内箱
２１  側板
２１ａ  長孔
２２    端板
２３  底板
２３ａ  長孔
２３ｂ  台座
２３ｃ  内側端
２４  隅連結材
２５  ガイド部材
２６  把手
３０  連結具
３１  連結凸材
３１ａ  軸部
３１ｂ  凸条
３２  連結凹材
３２ａ  嵌着部
３２ｂ  溝
３２ｃ  平坦部
３５  連結鋲
３６  ワッシャー
４０  係止手段
４１  係止片
４１ａ  面ファスナ
４２  係着面
４３  係着面
４５  係止片
４６  係着面
【図１】
0003199697.tif 000003
【図２】
0003199697.tif 000004
【図３】
0003199697.tif 000005
【図４】
0003199697.tif 000006
【図５】
0003199697.tif 000007
【図６】
0003199697.tif 000008